(57)【特許請求の範囲】
【請求項１】
左右の半割ハウジングを組み付けて形成されたハウジングにモータを収容する電動工具であって、
各前記半割ハウジングは、前記モータの冷却風を前記ハウジングの内部に吸気する吸気口と、前記冷却風を前記ハウジングの外部へ排出する排気口と、を有し、
各前記半割ハウジングは、前記吸気口又は前記排気口よりも下方に配置されて、各前記半割ハウジングの内部と外部とを連通させる排水口を有し、
各前記半割ハウジングの内面には、前記吸気口又は前記排気口よりも下方で前記排水口よりも上方に配置されて、前記吸気口又は前記排気口から各前記半割ハウジングの内部に浸入した水を前記排水口へ誘導する複数の線状溝を、前記半割ハウジングの上下方向に対して斜めに配列した網目状に形成したことを特徴とする電動工具。
【請求項２】
左右の半割ハウジングを組み付けて形成されたハウジングに、モータを収容する電動工具であって、
各前記半割ハウジングは、前記モータの冷却風を前記ハウジングの内部に吸気する吸気口と、前記冷却風を前記ハウジングの外部へ排出する排気口と、を有し、
各前記半割ハウジングは、前記吸気口又は前記排気口よりも下方に配置されて、各前記半割ハウジングの内部と外部とを連通させる排水口を有し、
各前記半割ハウジングの内面に、
前記吸気口又は前記排気口よりも下方で前記排水口よりも上方に配置されて、前記吸気口又は前記排気口から各前記半割ハウジングの内部に浸入した水を前記排水口側へ誘導する複数の線状溝と、
上端部が前記線状溝に到達して下端部が前記排水口に向かうように突設された排水用リブと、
を有することを特徴とする電動工具。
【請求項３】
左右の半割ハウジングを組み付けて形成されたハウジングに、モータを収容する電動工具であって、
各前記半割ハウジングは、前記モータの冷却風を前記ハウジングの内部に吸気する吸気口と、前記冷却風を前記ハウジングの外部へ排出する排気口と、を有し、
各前記半割ハウジングは、前記吸気口又は前記排気口よりも下方に配置されて、各前記半割ハウジングの内部と外部とを連通させる排水口を有し、
各前記半割ハウジングの内面に、
前記吸気口又は前記排気口よりも下方で前記排水口よりも上方に配置されて、前記吸気口又は前記排気口から各前記半割ハウジングの内部に浸入した水を前記排水口へ誘導する誘導溝を、各半割ハウジング内に設けられたスイッチの配置部を挟んで前記吸気口側又は前記排気口側と、前記排水口側と、に分離して形成し、
前記誘導溝を、複数の線状溝で形成したことを特徴とする電動工具。
【発明の詳細な説明】
【技術分野】
【０００１】
この発明は、開口部を備えたハウジングの前記開口部よりも下方側に、ハウジングの内部と外部とを連通させる排水口を開設した電動工具に関する。
【背景技術】
【０００２】
例えば特許文献１には、モータを収容するハウジングに、モータの冷却用空気を導入する吸気口を設けたインパクトドライバが開示されている。また近年のインパクトドライバでは、モータの収容部に連設されて下方に延びてハウジングを構成するハンドル部に、ハンドル部の内部と外部とを連通させる排水口を開設することで、吸気口等の開口部からハウジングの内部に誤って水が浸入した場合でも、排水口からハンドル部の外部に水を排出することがなされている。
【先行技術文献】
【特許文献】
【０００３】
【特許文献１】特開２００９−７２８６７号公報
【発明の概要】
【発明が解決しようとする課題】
【０００４】
しかしながら、上記のインパクトドライバに代表される電動工具のハウジングの内部に水が浸入した場合には、ハウジングの内面に水が付着して留まることがあった。このため、ハウジングに排水口を開設したにもかかわらず、ハウジングの内部に浸入した水を十分にハウジングの外部へ排出できないことが懸念されていた。
【０００５】
この発明は、このような状況に鑑み提案されたものであって、開口部からハウジングの内部に浸入した水をハウジングの外部に排出する性能を向上させた電動工具を提供することを目的とする。
【課題を解決するための手段】
【０００６】
請求項１の発明に係る電動工具は、左右の半割ハウジングを組み付けて形成されたハウジングにモータを収容する電動工具であって、各前記半割ハウジングは、前記モータの冷却風を前記ハウジングの内部に吸気する吸気口と、前記冷却風を前記ハウジングの外部へ排出する排気口と、を有し、各前記半割ハウジングは、前記吸気口又は前記排気口よりも下方に配置されて、各前記半割ハウジングの内部と外部とを連通させる排水口を有し、各前記半割ハウジングの内面には、前記吸気口又は前記排気口よりも下方で前記排水口よりも上方に配置されて、前記吸気口又は前記排気口から各前記半割ハウジングの内部に浸入した水を前記排水口へ誘導する複数の線状溝を、前記半割ハウジングの上下方向に対して斜めに配列した網目状に形成したことを特徴とする。
【０００７】
請求項２の発明は、左右の半割ハウジングを組み付けて形成されたハウジングに、モータを収容する電動工具であって、各前記半割ハウジングは、前記モータの冷却風を前記ハウジングの内部に吸気する吸気口と、前記冷却風を前記ハウジングの外部へ排出する排気口と、を有し、各前記半割ハウジングは、前記吸気口又は前記排気口よりも下方に配置されて、各前記半割ハウジングの内部と外部とを連通させる排水口を有し、各前記半割ハウジングの内面に、前記吸気口又は前記排気口よりも下方で前記排水口よりも上方に配置されて、前記吸気口又は前記排気口から各前記半割ハウジングの内部に浸入した水を前記排水口側へ誘導する複数の線状溝と、上端部が前記線状溝に到達して下端部が前記排水口に向かうように突設された排水用リブと、を有することを特徴とする。
【０００８】
請求項３の発明は、左右の半割ハウジングを組み付けて形成されたハウジングに、モータを収容する電動工具であって、各前記半割ハウジングは、前記モータの冷却風を前記ハウジングの内部に吸気する吸気口と、前記冷却風を前記ハウジングの外部へ排出する排気口と、を有し、各前記半割ハウジングは、前記吸気口又は前記排気口よりも下方に配置されて、各前記半割ハウジングの内部と外部とを連通させる排水口を有し、各前記半割ハウジングの内面に、前記吸気口又は前記排気口よりも下方で前記排水口よりも上方に配置されて、前記吸気口又は前記排気口から各前記半割ハウジングの内部に浸入した水を前記排水口へ誘導する誘導溝を、各半割ハウジング内に設けられたスイッチの配置部を挟んで前記吸気口側又は前記排気口側と、前記排水口側と、に分離して形成し、前記誘導溝を、複数の線状溝で形成したことを特徴とする。
【発明の効果】
【０００９】
請求項１〜３の発明に係る電動工具によれば、開口部からハウジングの内部に浸入した水を、誘導溝で排水口に誘導して排水口からハウジングの外部に排出できる。したがって、ハウジングの内部に浸入した水をハウジングの外部に排出する性能が向上する。
請求項１〜３の発明によれば、複数の線状溝を網目状に配列することで、開口部から排水口へ向けた水の流路を枝分かれさせて複数形成することが可能になる。よって、開口部からハウジングの内部に浸入した水を効率良く排水口からハウジングの外部に排出できる。
【図面の簡単な説明】
【００１０】
【図１】本発明の実施形態１のインパクトドライバの本体ハウジングを構成する半割ハウジングの内面図である。
【図２】実施形態１の半割ハウジングの部分拡大斜視図である。
【図３】実施形態２のインパクトドライバの本体ハウジングを構成する半割ハウジングの内面図である。
【図４】実施形態２の半割ハウジングの部分拡大斜視図である。
【発明を実施するための形態】
【００１１】
＜実施形態１＞
本発明の実施形態１を図１及び図２を参照しつつ説明する。インパクトドライバの本体ハウジング１は、樹脂製の左右の半割ハウジングを組み付けて形成される。図１及び図２には、右半割ハウジング１Ｒを示した。この右半割ハウジング１Ｒは、右側胴体部２Ｒと、右側ハンドル部３Ｒと、右側バッテリー装着部４Ｒとを有する。
【００１２】
右側胴体部２Ｒと、左半割ハウジング（図示せず。）の左側胴体部とによって、インパクトドライバの前後方向（図１の左右方向）に延びる筒状の胴体部２が形成される。この胴体部２の内部にはモータ（図示せず。）が収容される。右半割ハウジング１Ｒには、モータの近傍位置に吸気口５及び排気口６がそれぞれ複数形成されている。左半割ハウジングにも、右半割ハウジング１Ｒと同様に吸気口及び排気口がそれぞれ複数形成されている。複数の吸気口５は、胴体部２の内部にモータの冷却風を吸気するために用いられる。複数の排気口６は、前記冷却風を胴体部２の外部へ排出するために用いられる。なお、インパクトドライバは本発明の電動工具の一例である。また右半割ハウジング１Ｒは本発明のハウジングの一例であり、吸気口５及び排気口６は本発明の開口部の一例である。
【００１３】
右側ハンドル部３Ｒと、左半割ハウジングの左側ハンドル部とによって、インパクトドライバの側面視で略Ｔ字形状となるように、ハンドル部３が胴体部２から連設されている。ハンドル部３の内部には、開口７からトリガを露出させた状態でスイッチ（図示せず。）が収容されている。右側ハンドル部３Ｒの内面には、インパクトドライバの上下方向（図１の上下方向）でスイッチよりも下側の位置に、側面形状が緩やかなＳ字状とされたシール部材８が配置されている。右側ハンドル部３Ｒと左側ハンドル部とを組み付けた状態ではシール部材８は、ハンドル部３の内部でスイッチと後述のバッテリー装着部４との間に当たる位置に嵌装される。シール部材８には、上下方向（図１の上下方向）にシール部材８を貫通するリード線通し孔が形成されている。シール部材８を境界としてハンドル部３の上側内部と下側内部との間には、リード線通し孔を除き隙間が生じることを防止できる。なお、開口７は本発明の開口部の一例である。
【００１４】
さらに右側ハンドル部３Ｒには、右側ハンドル部３Ｒの根元に当たる右側バッテリー装着部４Ｒとの境界付近の位置に排水口９が開設されている。この排水口９は、Ｓ字形状を形成するシール部材８の下側傾斜部８Ａの下端の際に位置し、右半割ハウジング１Ｒの内部と外部とを連通させる。下側傾斜部８Ａは、排水口９側に下り傾斜している。また左側ハンドル部にも、右側ハンドル部３Ｒとの組み付け状態で排水口９と対向する位置に、左半割ハウジングの内部と外部とを連通させる排水口が開設されている。
【００１５】
右側バッテリー装着部４Ｒと、左半割ハウジングの左側バッテリー装着部とによって、ハンドル部３の下端にはバッテリー装着部４が形成されている。バッテリー装着部４にはバッテリーパック（図示せず。）が着脱自在に装着される。バッテーパックは、シール部材８のリード線通し孔に挿通されるリード線によりスイッチと電気的に接続されている。
【００１６】
本実施形態では右側ハンドル部３Ｒの内面に、複数の線状溝１０と排水用リブ１１とが形成されている。複数の線状溝１０は、例えば吸気口５、排気口６やハンドル部３からトリガを露出させる開口７から本体ハウジング１の内部に誤って浸入した雨水を排水口９へ誘導するために用いられる。ここではスイッチの配置部Ｐを除く右側ハンドル部３Ｒの内面に、複数の線状溝１０が、右側ハンドル部３Ｒの上下方向と前後方向とに対して斜めに配列した網目状に設けられている。排水用リブ１１は、右側ハンドル部３Ｒの内面に突設されている。この排水用リブ１１は、前記配置部Ｐを避けて右側ハンドル部３Ｒの前後方向の略中央位置から斜め下方の排水口９に向かうように湾曲した形状を有する。なお、複数の線状溝１０は本発明の誘導溝の一例である。
【００１７】
図１及び図２に示すように右側ハンドル部３Ｒの上方側内面には、多数の線状溝１０の終端が排水用リブ１１の上端部に到達するように配列されている。一方、右側ハンドル部３Ｒの下方側内面には、多数の線状溝１０の終端がシール部材８のＳ字形状を形成する上側傾斜部８Ｂに到達するように配列されている。この上側傾斜部８Ｂは、排水口９側へ下り傾斜している。加えて排水用リブ１１の下端部は、前記下方側内面における一部の線状溝１０に到達する。
【００１８】
次に吸気口５、排気口６や開口７から本体ハウジング１の内部に浸入した雨水を排水口９から排出する動作を説明する。まず吸気口５や排気口６から胴体部２の内部に浸入した雨水は、ハンドル部３を形成する右半割ハウジング１Ｒ及び左半割ハウジングの各内面とスイッチとの間の隙間等を通じてハンドル部３の内部を流下する。このとき右半割ハウジング１Ｒの内面上の雨水は、右側ハンドル部３Ｒの上方側内面に配列した線状溝１０に沿って流れて排水用リブ１１に到達する。本実施形態では複数の線状溝１０を網目状に配列したことで、枝分かれされた複数の雨水の流路を形成できる。したがって、雨水を右半割ハウジング１Ｒの内面に残留させずに排水用リブ１１に到達させることが可能になる。
【００１９】
排水用リブ１１に到達した雨水は、この排水用リブ１１に沿って流下することで右側ハンドル部３Ｒの下方側内面に配列した線状溝１０に誘導される。その後雨水はこの線状溝１０に沿って流れてシール部材８の上側傾斜部８Ｂに到達する。そして上側傾斜部８Ｂに到達した雨水は、各傾斜部８Ｂ、８Ａを流下することで排水口９に誘導される。その結果雨水は、ハンドル部３の内部から排水口９を通過してハンドル部３の外部に排出される。
【００２０】
ここでは、右半割ハウジング１Ｒの内面に配列した線状溝１０を用いて本体ハウジング１の内部に浸入した雨水を排水口９から排出する例を示したが、左半割ハウジングの内面に配列した線状溝によっても、右半割ハウジング１Ｒの例と同様に、雨水を排水口９からハンドル部３の外部に排出できる。
【００２１】
一方、開口７からハンドル部３の内部に浸入した雨水は、シール部材８に向けて流下する。このとき右半割ハウジング１Ｒの内面上の雨水は、右側ハンドル部３Ｒの下方側内面に配列した線状溝１０に沿って流れてシール部材８の上側傾斜部８Ｂに到達する。上側傾斜部８Ｂに到達した雨水は、吸気口５や排気口６から胴体部２の内部に雨水が浸入した場合と同様に、各傾斜部８Ｂ、８Ａを流下した後に排水口９を通過してハンドル部３の外部に排出される。左半割ハウジングの内面上の雨水も、右半割ハウジング１Ｒの例と同様に排水口９を通過してハンドル部３の外部に排出される。
【００２２】
＜実施形態１の効果＞
本実施形態のインパクトドライバでは、吸気口５、排気口６から胴体部２の内部に誤って浸入した雨水や開口７からハンドル部３の内部に誤って浸入した雨水を、複数の線状溝１０を用いて排水口９に誘導することで排水口９からハンドル部３の外部に排出できる。したがって、本体ハウジング１（胴体部２、ハンドル部３）の内部に浸入した雨水を、本体ハウジング１の外部に排出する性能が向上する。
【００２３】
また、右半割ハウジング１Ｒや左半割ハウジングの各内面に、複数の線状溝１０を網目状に配列することで、吸気口５、排気口６や開口７から排水口９に向けた雨水の流路を枝分かれさせて複数形成することが可能になる。よって、吸気口５、排気口６や開口７から本体ハウジング１の内部に浸入した雨水を効率良く排水口９から本体ハウジング１の外部に排出できる。
【００２４】
＜実施形態２＞
本発明の実施形態２を図３及び図４を参照しつつ説明する。ここでは実施形態１と同一の構成は同一の符号を付しその説明を省略する。図３及び図４には、インパクトドライバの本体ハウジング１Ａを形成する右半割ハウジング２１Ｒを示した。本実施形態では、スイッチの配置部Ｐを除く右側ハンドル部３Ｒの内面に、複数の線状溝１０Ａが形成されている。複数の線状溝１０Ａは、右側ハンドル部３Ｒの前後方向に所定間隔をおいて互いに平行で右側ハンドル部３Ｒの上下方向へ直線状に配列されている。
【００２５】
図３及び図４に示すように右側ハンドル部３Ｒの上方側内面には、１つの線状溝１０Ａの終端が排水用リブ１１の上端部に到達するように配置されている。図３に示すように、各線状溝１０Ａの始端側（図３の上方側）には吸気口５や排気口６が位置し、各線状溝１０Ａの終端側（図３の下方側）には排水口９が位置する。加えて前記上方側内面では、前記１つの線状溝１０Ａを除く他の線状溝１０Ａの終端が、終端同士を繋いで延設された第１連続溝１０Ｂによって繋がれている。さらに第１連続溝１０Ｂの終端は、前記１つの線状溝１０Ａの略中間位置に繋がれている。なお、複数の線状溝１０Ａは本発明の誘導溝の一例である。
【００２６】
一方、右側ハンドル部３Ｒの下方側内面には、１つの線状溝１０Ａの始端が排水用リブ１１の下端部に到達するように配置されている。図３に示すように、各線状溝１０Ａの始端側には開口７が位置し、各線状溝１０Ａの終端側には排水口９が位置する。加えて前記下方側内面では、すべての線状溝１０Ａの終端が、終端同士を繋いで延設された第２連続溝１０Ｃによって繋がれている。この第２連続溝１０Ｃは、シール部材８の上側傾斜部８Ｂに沿って配置されることで、排水口９側に下り傾斜している。第２連続溝１０Ｃの下端は、右側ハンドル部３Ｒの内側面に到達する。
【００２７】
次に吸気口５、排気口６や開口７から本体ハウジング１Ａの内部に誤って浸入した雨水を排水口９から排出する動作を説明する。以下では右半割ハウジング２１Ｒの内面に配列した線状溝１０Ａを用いて雨水を排出する例を示すが、左半割ハウジングの内面に配列した線状溝によっても、右半割ハウジング２１Ｒの例と同様に、雨水を排出できる。吸気口５や排気口６から本体ハウジング１Ａの内部に雨水が浸入すると、右半割ハウジング２１Ｒの内面上の雨水は、右側ハンドル部３Ｒの上方側内面に配列した線状溝１０Ａに沿って流下する。本実施形態では、複数の線状溝１０Ａを右側ハンドル部３Ｒの前後方向に所定間隔をおいて互いに平行で右側ハンドル部３Ｒの上下方向へ直線状に配列したことで、吸気口５や排気口６から排水口９に向けた雨水の流路をそれぞれ独立させて複数形成できる。上記の他の線状溝１０Ａを流下した雨水は、第１連続溝１０Ｂに流れ込んだ後に、排水用リブ１１の上端部に到達する１つの線状溝１０Ａに流れ込んで排水用リブ１１に到達する。さらに１つの線状溝１０Ａを流下した雨水も、排水用リブ１１に到達する。
【００２８】
排水用リブ１１に到達した雨水は、この排水用リブ１１に沿って流下することで右側ハンドル部３Ｒの下方側内面に配置した１つの線状溝１０Ａに誘導される。その後雨水は、該線状溝１０Ａの終端から第２連続溝１０Ｃに流れ込んだ後に右側ハンドル部３Ｒの内側面に到達する。そして雨水は前記内側面を流下することで排水口９に誘導される。その結果雨水は、排水口９を通過してハンドル部３の外部に排出される。
【００２９】
一方、開口部７からハンドル部３の内部に雨水が浸入すると、右半割ハウジング２１Ｒの内面上の雨水は、右側ハンドル部３Ｒの下方側内面に配列した線状溝１０Ａに沿って流下する。その後雨水は、線状溝１０Ａの終端から第２連続溝１０Ｃに流れ込んで右ハンドル部３Ｒの内側面に到達する。右ハンドル部３Ｒの内側面に到達した雨水は、該内側面を流下した後に排水口９を通過してハンドル部３の外部に排出される。
【００３０】
＜実施形態２の効果＞
本実施形態のインパクトドライバでは、右半割ハウジング２１Ｒや左半割ハウジングの各内面に、吸気口５、排気口６や開口７から排水口９に向けた雨水の流路をそれぞれ独立させて複数形成することが可能になる。よって、吸気口５、排気口６や開口７から本体ハウジング１Ａの内部に浸入した雨水を排水口９から本体ハウジング１Ａの外部に排出し易くなる。
【００３１】
本発明は、上述した実施形態に限定されるものではなく発明の趣旨を逸脱しない範囲内において構成の一部を適宜変更して実施できる。例えば上述した実施形態とは異なり、複数の線状溝を、右側ハンドル部や左側ハンドル部の上下方向と前後方向とに配列して格子状に設けてもよい。また上述した実施形態では、右側ハンドル部３Ｒや左側ハンドル部の上方側内面に配列した線状溝と、下方側内面に配列した線状溝とを排水用リブ１１を介して連続するようにしたが、これに限らない。例えば排水用リブ１１を設けずに、前記上方側内面の線状溝と前記下方側内面の線状溝を連続させて、雨水を記上方側内面から前記下方側内面へ誘導してもよい。
【００３２】
さらに上述した実施形態１では、前記下方側内面において、多数の線状溝１０の終端をシール部材８の上側傾斜部８Ｂに到達させたが、これに限らない。例えば複数の線状溝の終端を排水口９の近傍まで延長して、雨水を線状溝から排水口９へ誘導し易くしてもよい。加えて、上述したインパクトドライバに限らず、本発明をハンマドリル等の電動工具に適用してもよい。さらに加えて、上述した実施形態とは異なり、右側ハンドル部３Ｒや左側ハンドル部に排水口９を開設しなくても、開口７を利用することで吸気口５や排気口６から本体ハウジング１、１Ａの内部に浸入した雨水を本体ハウジング１、１Ａの外部に排出してもよい。そのために、例えば排水用リブの傾斜下端側が開口７に向かうように排水用リブを右側ハンドル部３Ｒの内面に突設させてもよい。
【符号の説明】
【００３３】
１Ｒ・・右半割ハウジング、５・・吸気口、６・・排気口、７・・開口、９・・排水口、１０、１０Ａ・・線状溝。
【図１】
0005731916.tif 000002
【図２】
0005731916.tif 000003
【図３】
0005731916.tif 000004
【図４】
0005731916.tif 000005